(57)【要約】  使い勝手のよい色見本帳の作成に必要な情報を生成することができる塗料配合検索サーバを提供する。  利用者端末（５０）にネットワーク（４０）を介して接続され、利用者端末（５０）からのアクセスに基づいて、色見本に対応する塗料配合を検索する塗料配合検索サーバであって、利用者端末（５０）に入力された色見本を特定する色見本情報及び利用者を特定する利用者識別情報を格納する利用履歴情報データベース（１２）と、各色見本情報に対応する原色塗料配合率情報が格納される塗料配合率データベース（１１）と、受信した色見本情報に基づいて塗料配合率データベース１１を検索することにより対応する原色塗料配合率情報を抽出して、利用者識別情報に基づき利用者端末（５０）に送信する検索処理部（２１）と、利用履歴情報データベース（１２）に基づいて色見本情報毎のデータ蓄積数のランク付け処理を行うランク付け処理部（２３）と、ランク付け結果から所望数の色見本情報を抽出する色見本特定部（２４）とを備える塗料配合検索サーバ（１）。【特許請求の範囲】
【請求項１】
利用者端末にネットワークを介して接続され、前記利用者端末からのアクセスに基づいて、色見本に対応する塗料配合を検索する塗料配合検索サーバであって、
前記利用者端末に入力された色見本を特定する色見本情報及び利用者を特定する利用者識別情報を格納する利用履歴情報データベースと、
各色見本情報に対応する原色塗料配合率情報が格納される塗料配合率データベースと、
受信した色見本情報に基づいて前記塗料配合率データベースを検索することにより対応する原色塗料配合率情報を抽出して、利用者識別情報に基づき前記利用者端末に送信する検索処理部と、
前記利用履歴情報データベースに基づいて色見本情報毎のデータ蓄積数のランク付け処理を行うランク付け処理部と、
ランク付け結果から所望数の色見本情報を抽出する色見本特定部とを備える塗料配合検索サーバ。
【請求項２】
前記ランク付け処理部は、利用者識別情報毎に抽出した色見本情報に基づいて色見本情報毎のデータ蓄積数のランク付け処理を行う請求項１に記載の塗料配合検索サーバ。
【請求項３】
前記ランク付け処理部は、前記利用履歴情報データベースに格納される利用者識別情報に基づいて、利用頻度の高い利用者識別情報を抽出し、抽出した利用者識別情報に対応する色見本情報のランク付け処理を行う請求項１又は２に記載の塗料配合検索サーバ。
【請求項４】
前記利用履歴情報データベースは、色見本情報に対応する１又は複数の原色塗料品種情報を格納しており、
前記ランク付け処理部は、前記利用履歴情報データベースに基づいて、利用者識別情報毎に抽出した原色塗料品種情報毎のデータ蓄積数のランク付け処理を行う請求項１から３のいずれかに記載の塗料配合検索サーバ。
【請求項５】
前記色見本特定部は、所望数の色見本情報の抽出をパレート分析により行う請求項１から４のいずれかに記載の塗料配合検索サーバ。
【発明の詳細な説明】
【技術分野】
【０００１】
本発明は、塗料配合検索サーバに関する。
【背景技術】
【０００２】
従来、自動車の塗装補修を行う塗装業者は、複数の色見本が掲載されている色見本帳から、塗装補修を行う自動車の塗膜の色と同等の色を有する色見本を抽出した後、色見本に記載されている識別番号に基づいて、塗料配合検索システムから原色塗料の配合率情報を取得し、塗装補修に使用する塗料を原色塗料の配合率情報に基づいて生成していた（例えば、特許文献１参照）。【０００３】
このように塗装補修を行う際に色合せの基準として使用される色見本帳は、自動車メーカが製造する自動車の全車種の塗膜の色に対応する色見本を備えており、例えば、図８に示すような複数の色見本１０１が貼り付けられた色見本シート１０２を自動車メーカ毎に分類してファイルすることにより作成されている。図８（ａ）は、色見本シート１０２の表面側を示しており、図８（ｂ）は、その裏面側を示している。この色見本シート１０２は、矩形状シートの表面側に５種類の色見本１０１が貼り付けられており、その裏面側には、表面側に貼り付けた色見本１０１の色を特定するための識別番号や自動車メーカ名などが表面側の色見本に対応させて記載されている。
【特許文献１】特開２００２−２７９０００号公報
【発明の開示】
【発明が解決しようとする課題】
【０００４】
しかしながら、色見本帳は、自動車全車種の塗膜の色に対応するために膨大な数の色見本を掲載しているので、色見本帳自体が大きくて嵩張り、塗装補修の際の色合せ作業を行いにくいという問題や、色見本帳から所望の色見本を探しにくいという問題、保管しにくいという問題があった。【０００５】
本発明は、このような問題を解決すべくなされたものであって、使い勝手のよい色見本帳の作成に必要な情報を生成することができる塗料配合検索サーバの提供を目的とする。
【課題を解決するための手段】
【０００６】
本発明の上記目的は、利用者端末にネットワークを介して接続され、前記利用者端末からのアクセスに基づいて、色見本に対応する塗料配合を検索する塗料配合検索サーバであって、前記利用者端末に入力された色見本を特定する色見本情報及び利用者を特定する利用者識別情報を格納する利用履歴情報データベースと、各色見本情報に対応する原色塗料配合率情報が格納される塗料配合率データベースと、受信した色見本情報に基づいて前記塗料配合率データベースを検索することにより対応する原色塗料配合率情報を抽出して、利用者識別情報に基づき前記利用者端末に送信する検索処理部と、前記利用履歴情報データベースに基づいて色見本情報毎のデータ蓄積数のランク付け処理を行うランク付け処理部と、ランク付け結果から所望数の色見本情報を抽出する色見本特定部とを備える塗料配合検索サーバにより達成される。【０００７】
この塗料配合検索サーバにおいて、前記ランク付け処理部は、利用者識別情報毎に抽出した色見本情報に基づいて色見本情報毎のデータ蓄積数のランク付け処理を行うことが好ましい。【０００８】
また、前記ランク付け処理部は、前記利用履歴情報データベースに格納される利用者識別情報に基づいて、利用頻度の高い利用者識別情報を抽出し、抽出した利用者識別情報に対応する色見本情報のランク付け処理を行うことが好ましい。【０００９】
また、前記利用履歴情報データベースは、色見本情報に対応する１又は複数の原色塗料品種情報を格納しており、前記ランク付け処理部は、前記利用履歴情報データベースに基づいて、利用者識別情報毎に抽出した原色塗料品種情報毎のデータ蓄積数のランク付け処理を行うことが好ましい。【００１０】
また、前記色見本特定部は、所望数の色見本情報の抽出をパレート分析により行うことが好ましい。
【発明の効果】
【００１１】
本発明によれば、使い勝手のよい色見本帳の作成に必要な情報を生成することができる塗料配合検索サーバを提供することができる。
【図面の簡単な説明】
【００１２】
【図１】本発明に係る塗料配合検索サーバの概略構成を示すブロック図である。
【図２】図１に示す利用履歴情報データベースのデータ構造を説明するための図である。
【図３】図１に示す塗料配合検索サーバの処理手順を説明するためのフローチャートである。
【図４】図１に示す利用者端末の出力部に表示される塗料配合率検索のための入力フォームの一例を示す図である。
【図５】図１に示す利用者端末の出力部に表示される配合率情報検索結果の出力フォームの一例を示す図である。
【図６】図１に示すランク付け処理部において算出したランク付け結果の一例を示す図である。
【図７】図６に示すデータに基づいて、色見本情報の順位に対する色見本情報のデータ蓄積数及び比率累計の関係を示すパレート曲線図である。
【図８】色見本シートの表面及び裏面の一例を示す図である。
【符号の説明】
【００１３】
１    塗料配合検索サーバ
１１  塗料配合率データベース
１２  利用履歴情報データベース
２１  検索処理部
２２  利用情報処理部
２３  ランク付け処理部
２４  色見本特定部
３０  ランク付け結果出力部
４０  ネットワーク
５０  利用者端末
【発明を実施するための最良の形態】
【００１４】
以下、本発明の実施形態について添付図面を参照して説明する。図１は、本発明の一実施形態に係る塗料配合検索サーバの概略構成を示すブロック図である。【００１５】
図１に示すように、塗料配合検索サーバ１は、複数の利用者端末５０にインターネットなどのネットワーク４０を介して接続されている。この塗料配合検索サーバ１は、利用者端末５０からのアクセスに基づいて、色見本に対応する塗料配合を検索するサーバである。ネットワーク４０は、光ファイバなどを用いた広帯域ネットワークであることが好ましい。また、このネットワーク４０は、公衆回線又は専用回線のいずれであってもよく、更に、有線回線、無線回線又はこれらが混在した回線であってもよい。【００１６】
利用者端末５０は、入力部５１、出力部５２を備えている端末であり、デスクトップ型またはノート型のパーソナルコンピュータなどの固定型端末や、携帯可能な携帯型端末等である。入力部５１は、所望の色見本に関する色見本情報や利用者端末５０を利用する利用者を特定する利用者識別情報などを入力できるように構成されており、例えば、キーボード、或いは、液晶画面のタッチパネル等によって構成することができる。また、液晶画面に表示される文字列をマウスによりクリックすることにより文字を入力できるように構成してもよい。ここで、色見本情報とは、色見本の色を特定する情報であり、例えば、色見本ごとに割り当てられている識別番号や、色見本の色の名称などを挙げることができる。また、利用者識別情報は、利用者の氏名、名称或いはユーザＩＤなどを例示することができる。【００１７】
出力部５２は、入力部５１から入力される情報や、塗料配合検索サーバ１からネットワーク４０を介して送信された情報を表示できるように構成されており、例えば、ディスプレイ、プリンタ、または上述の入力部５１と共用の液晶画面等によって構成することができる。【００１８】
塗料配合検索サーバ１は、塗料配合率データベース１１と利用履歴情報データベース１２とを備えている。塗料配合率データベース１１には、色見本の色を再現するための、各種原色塗料の配合率を示す原色塗料配合率情報が格納されている。この配合率情報は、色見本を特定する色見本情報と関連付けて格納されている。利用履歴情報データベース１２には、利用者端末５０に入力された色見本を特定する色見本情報、利用者端末５０の利用者を特定する利用者識別情報、および、色見本情報に対応する１又は複数の原色塗料品種に関する情報（原色塗料品種情報）が、例えば、図２に示すようなデータ構造で格納されている。これらの情報については、後述する利用情報処理部２２の処理内容と関係するので、後ほど詳細に説明する。【００１９】
また、塗料配合検索サーバ１は、検索処理部２１、利用情報処理部２２、ランク付け処理部２３および色見本特定部２４を備えている。検索処理部２１は、利用者端末５０から受信した色見本情報に基づいて塗料配合率データベース１１を検索することにより、色見本情報に対応する原色塗料配合率情報を抽出して、利用者識別情報に基づき利用者端末５０に送信する機能を有している。【００２０】
利用情報処理部２２は、利用者端末５０に入力された色見本情報および利用者識別情報、並びに、色見本情報に対応する１又は複数の原色塗料品種情報を利用履歴情報として、利用履歴情報データベース１２に記憶させる機能を有している。具体的に説明すると、利用者端末５０に入力された利用者識別情報および色見本情報を塗料配合検索サーバ１が受信し、検索処理部２１が色見本情報に基づいて原色塗料配合率情報を検索したときに、図２に示すように、履歴番号、日時、利用者識別情報、色見本情報、および、検索処理部２１において検索した原色塗料品種に関する情報等を利用履歴情報データベース１２に記憶させる。なお、図２においては、理解の容易を図るために、利用者識別情報欄において記憶される情報として、Ａ社、Ｂ社等と塗装業者の社名を記載しているが、実際には、Ａ社、Ｂ社等に対応したコード番号情報が記憶される。自動車メーカ名や原色塗料品種についても同様である。【００２１】
ランク付け処理部２３は、利用履歴情報データベース１２に格納されている各種情報に基づいて演算を行うことにより色見本情報のランク付けを行う機能を有している。ランク付け処理の詳細については、後述する本発明に係る塗料配合検索サーバ１の作動説明において説明する。【００２２】
色見本特定部２４は、ランク付け結果から所望数の色見本情報を抽出する機能を有している。【００２３】
また、塗料配合検索サーバ１は、色見本特定部２４において抽出された色見本情報を出力するランク付け結果出力部３０と接続している。このような、ランク付け結果出力部３０としては、例えば、ディスプレイやプリンタ等を例示することができる。また、塗料配合検索サーバ１とランク付け結果出力部３０との接続は、図１に示すように互いに直接的に接続してもよく、或いは、ネットワーク４０を介して間接的に接続してもよい。また、このランク付け結果出力部３０は、ランク付け処理部２３にて得られたランク付け結果を出力できるように構成してもよい。【００２４】
次に、上述した塗料配合検索サーバ１の作動について、図３に示すフローチャートを適宜参照しながら説明する。まず、自動車の塗装補修を行う塗装業者（利用者）は、塗装補修を行う自動車の塗膜の色と同等の色を有する色見本を、自動車の全車種に対応する色見本帳から選択し、この色見本の色を特定する色見本情報を確認する（ステップＳ１）。その後、利用者端末５０と塗料配合検索サーバ１との通信回線を開くことにより、例えば、図４に示すような塗料配合率検索のための入力フォームが利用者端末５０の出力部５２に表示される。【００２５】
利用者が、この入力フォームにおいて、利用者を特定する利用者識別情報、パスワード、所望の色見本に対応する色見本情報、自動車メーカ名を入力部５１から入力し、「送信」ボタンをクリックすると、これらの情報を塗料配合検索サーバ１が受信する（ステップＳ２，ステップＳ３）。【００２６】
検索処理部２１は、受信された色見本情報に基づいて、塗料配合率データベース１１に格納されている原色塗料の原色塗料配合率情報を検索する（ステップＳ４）。そして、検索された原色塗料配合率情報は、ネットワーク４０を介して利用者端末５０に送信され、出力部５２に表示される（ステップＳ５）。このとき、検索処理部２１は、利用者識別情報に基づいて利用者端末５０を特定して原色塗料配合率情報を送信する。出力部５２における原色塗料配合率情報の出力フォーム例を図５に示す。これにより、利用者端末５０を利用する塗装業者は、所望の色見本の色を再現するための各種原色塗料の配合率を知ることができ、この配合率に基づいて各種原色塗料を配合することにより、目的の色を有する塗料を作成することが可能になる。原色塗料の配合率に基づいて目的の色を有する塗料を作成する場合、例えば、各種原色塗料がそれぞれ充填された原色塗料充填室と、原色塗料の配合率を入力するテンキーとを備える塗料計量器を用いて行われる。この塗料計量器は、配合する原色塗料を選択すると共に、各原色塗料に対応する配合率をテンキーに数値入力して指定することにより、所定の原色塗料を所定割合で注出する。そして、注出された各原色塗料を均一に攪拌することにより所望の色を有する塗料を得ることができる。【００２７】
一方、利用情報処理部２２は、上述のように、利用者端末５０に入力された利用者識別情報および色見本情報を塗料配合検索サーバ１が受信し、原色塗料の配合率情報を検索処理部２１が検索するたびに、利用者識別情報および色見本情報、並びに、検索処理部２１において検索した原色塗料品種情報などを利用履歴情報として、随時、利用履歴情報データベース１２に蓄積していく（ステップＳ６）。【００２８】
そして、利用履歴情報データベース１２に蓄積される利用履歴情報が一定数（例えば、１０万件、２０万件等）に達した場合に、ランク付け処理部２３において後述のようなランク付け処理を行う。なお、このランク付け処理は、蓄積情報とは無関係に所定期間ごと、例えば、半年ごとや１年ごとに行うようにしてもよく、また、利用履歴情報データベース１２に利用履歴情報が蓄積されるたびに、リアルタイムでランク付けを行うようにしてもよい。【００２９】
ランク付け処理部２３は、利用履歴情報データベース１２に蓄積されている各色見本情報を検索キーとして、色見本情報毎のデータ蓄積数を算出し（ステップＳ７）、そのデータ蓄積数の多いもの順に色見本情報のランク付けを行う（ステップＳ８）。【００３０】
利用履歴情報データベース１２に格納される各色見本情報は、利用者端末５０から入力された色見本情報を塗料配合検索サーバ１が受信して、検索処理部２１が色見本情報に基づいて原色塗料の配合率情報を検索したときに利用履歴情報データベース１２に蓄積されるものであるため、ランク付け処理部２３で算出した色見本情報毎のデータ蓄積数は、塗料配合検索サーバ１における色見本情報毎の受信回数を表すこととなる。したがって、受信回数の多い色見本情報（ランク付け結果の上位に該当する色見本情報）によって特定される色見本は、塗装補修を行う利用者端末５０の利用者にとって、使用頻度の高いものであるといえる。【００３１】
色見本特定部２４は、色見本情報毎のデータ蓄積数のランク付け結果に基づいて、所望数の色見本情報、例えば第１位から第５００位までの色見本情報を抽出する（ステップＳ９）。この抽出結果を、ランク付け結果出力部３０に出力することによって（ステップＳ１０）、塗料配合検索サーバ１による色見本帳の作成に必要な情報を生成するための作動が終了する。【００３２】
このようにして得られた色見本情報に基づいて、色見本を選定し、自動車メーカ毎に色見本情報順（例えば、識別番号順）に並べてファイルすることにより色見本帳を作成する。このようにして作成された色見本帳は、自動車の全車種に対応する色見本帳に掲載される色見本の中から使用頻度が高い色見本を抽出して掲載したものであるため、コンパクトであると共に、大多数の塗装業者が頻繁に使用する色見本が掲載された使い勝手のよいものとなる。【００３３】
また、色見本特定部２４において、色見本情報のランク付け結果から所望数の色見本情報を抽出する際に、色見本情報毎のデータ蓄積数（塗料配合検索サーバ１における色見本情報毎の受信回数に相当）のパレート分析を行うことにより色見本を抽出することが好ましい。パレート分析により色見本を選択する方法について、図６及び図７を用いて以下に説明する。図６は、パレート分析を行うことにより得たデータを示しており、図７は、図６のデータに基づいて作成したパレート曲線を示している。【００３４】
まず、色見本情報毎のデータ蓄積数に基づいて各色見本情報をデータ蓄積数の多い順に並び替える。そして、利用履歴情報データベース１２に蓄積されている色見本情報の全てのデータ数を集計し、塗料配合検索サーバ１で受信した色見本情報の総受信回数に相当する総蓄積数を算出する。次いで色見本情報毎のデータ蓄積数について総蓄積数に対する相対比率を算出する。さらに、順位付けにしたがって、各色見本情報の比率累計を算出する。このような処理を行うことにより、図６に示すようなデータを得ることができる。そして、色見本情報の順位に対する色見本情報毎のデータ蓄積数及び比率累計の関係を求めると、図７に示すようなパレート曲線を得ることができる。【００３５】
この図７から、例えば、１位〜８７１位までの色見本情報を選択すれば、総蓄積数（塗料配合検索サーバ１が受信した色見本情報の総受信回数に相当）の約９０％を網羅していることがわかる。つまり、１位〜８７１位までの色見本情報によって特定される色見本を選択して色見本帳を作成し、この色見本帳を用いて塗装補修における色合せ作業を行う場合、１０回の色合せ作業中、９回の色合せ作業に対応できることがわかる。このように、パレート分析を行って、ランク付け結果から所望数の色見本情報を抽出して、抽出した色見本情報に基づいて対応する色見本を選定し色見本帳を作成することにより、所望の掲載率を有する色見本帳を形成することが可能となる。ここで、掲載率とは、塗装補修の対象となる塗膜の色に対応する色見本が、色見本帳に掲載されている確率のことをいう。【００３６】
以上、本発明の一実施形態について説明したが、本発明の具体的な態様は上記実施形態に限定されない。例えば、ランク付け処理部２３が、利用者識別情報毎に抽出した色見本情報に基づいて、色見本情報毎のデータ蓄積数のランク付け処理を行うように構成してもよい。具体的に説明すると、ランク付け処理部２３が、利用履歴情報データベース１２に蓄積されている利用者識別情報および色見本情報を検索キーとして、色見本情報毎のデータ蓄積数を利用者識別情報毎に分類してランク付けを行うように構成する。利用者識別情報は利用者を特定するための情報であるので、このようなランク付けを行うことにより、利用者別に使用頻度の高い色見本を把握することができるため、特定の利用者にとって使用し易い色見本帳を作成することができる。【００３７】
また、上述のように、ランク付け処理部２３が、利用者識別情報毎に抽出した色見本情報に基づいて、色見本情報毎のデータ蓄積数のランク付け処理を行うように構成することにより、特定の利用者が頻繁に使用している色見本を特定することができるため、例えば、塗料メーカが、当該色見本の色を再現する調色塗料製品を製品ラインナップに追加した場合において、当該調色塗料製品の販売候補先（特定の色見本を頻繁に使用している利用者）を容易に選出することができるので、円滑な販売活動や斡旋活動を行うことができる。【００３８】
また、ランク付け処理部２３が、利用履歴情報データベース１２に格納される利用者識別情報に基づいて、利用頻度の高い利用者識別情報を抽出し、抽出した利用者識別情報に対応する色見本情報のランク付け処理を行うように構成してもよい。また、利用履歴情報データベース１２に格納される利用者識別情報に基づいて、利用頻度が中程度の利用者識別情報、或いは、利用頻度の低い利用者識別情報を抽出し、抽出した利用者識別情報に対応する色見本情報のランク付け処理を行うように構成してもよい。具体的に説明すると、まず、ランク付け処理部２３が、利用履歴情報データベース１２に蓄積されている利用者識別情報を検索キーとして、利用者識別情報毎の利用者情報蓄積数を算出し、その利用者情報蓄積数の多い順に利用者識別情報のランク付けを行う。履歴情報データベース２６に格納される各利用者識別情報は、利用者端末５０から入力された利用者識別情報および色見本情報を塗料配合検索サーバ１が受信し、検索処理部２１が色見本情報に基づいて原色塗料の配合率情報を検索したときに利用履歴情報データベース１２に蓄積されるものであるため、ランク付け処理部２３で算出した利用者識別情報毎の利用者情報蓄積数は、塗料配合検索サーバ１における利用者識別情報毎の受信回数（塗料配合検索サーバ１に対するアクセス回数に相当）を表すこととなる。したがって、塗料配合検索サーバ１に対するアクセス回数の多い利用者は、利用頻度の高い塗装業者であると考えることができるので、利用者識別情報毎の利用者情報蓄積数に基づいて利用者識別情報のランク付けを行うことにより、利用頻度の高い塗装業者、利用頻度が中程度の塗装業者、利用頻度の低い塗装業者というように、利用者を層別化することができる。そして、利用者の各層別に、履歴情報データベース２６に蓄積されている色見本情報を検索キーとして、色見本情報毎のデータ蓄積数を算出して、この色見本情報毎のデータ蓄積数のランク付けを行うことにより、利用者の各層別に使用頻度の高い色見本を把握することができる。この結果、特定の利用者層に分類される利用者にとって使用し易い色見本帳を作成することができる。【００３９】
また、ランク付け処理部２３が、利用履歴情報データベース１２に基づいて、利用者識別情報毎に抽出した原色塗料品種情報毎のデータ蓄積数のランク付け処理を行うように構成してもよい。具体的には、ランク付け処理部２３が、利用履歴情報データベース１２に蓄積されている利用者識別情報および原色塗料品種情報を検索キーとして、原色塗料品種情報毎のデータ蓄積数を利用者識別情報毎に分類して算出し、データ蓄積数の多い順に、原色塗料品種情報のランク付けを行うような構成を更に採用することもできる。このように原色塗料品種毎のデータ蓄積数を利用者識別情報毎に分類してランク付けすることにより、各利用者が、どの原色塗料を頻繁に使用して塗装補修を行っているのかを把握することができる。これにより、例えば、安価な原色塗料を多く使用する利用者は、大型車の補修を専門的に行う者であり、高価で高品質な原色塗料を多く使用する利用者は、乗用車の補修を専門的に行う者であると考えることができるため、利用者業態を層別化することができる。そして、利用者業態の各層別に、利用履歴情報データベース１２に蓄積されている色見本情報を検索キーとして、色見本情報毎の蓄積数を算出して、色見本情報のランク付けを行うことにより、利用者業態の各層別に使用頻度の高い色見本を把握することができるため、特定の利用者業態層に分類される利用者にとって使用し易い色見本帳を作成することができる。【００４０】
また、上述のように、ランク付け処理部２３が、利用履歴情報データベース１２に基づいて、利用者識別情報毎に抽出した原色塗料品種情報毎のデータ蓄積数のランク付け処理を行うように構成することにより、特定の利用者が頻繁に使用している原色塗料の品種を把握することができるため、その把握結果を、当該利用者に対する、原色塗料の販売計画の立案や原色塗料販売の営業活動に利用することもできる。【００４１】
また、利用履歴情報データベース１２に、検索処理部２１で検索した原色塗料の配合率の数値に関する情報を更に蓄積するように構成すると共に、色見本ランク付け処理部２３が、原色塗料の配合率の数値毎の出現頻度のランク付けを更に行うように構成してもよい。このような構成により、検索処理部２３で検索した原色塗料の配合率の数値に対して、どの数値が頻繁に検出され利用者端末５０に表示されているのかを把握することができる。そして、例えば、５０％、３０％、２０％という配合率の数値が頻繁に表示されるという結果を得た場合、この結果に基づいて、原色塗料の配合を行う塗料計量器における配合率指定方法を、テンキーによる数値入力のみならず、５０％、３０％、２０％という数値に対応したボタンを選択式に押圧することにより配合率の数値を入力できるように塗料計量器の設計仕様を改良することができ、利用者が利用しやすい塗料計量器の開発のための資料としてランク付け結果を活用することができる。なお、検索処理部２１で検索した原色塗料の配合率が色見本情報の色を再現する塗料（調色塗料）の重量配合率を示すものである場合、この配合率は、調色塗料１００ｇ中における原色塗料の配合量に対応するので、塗料計量器の設計仕様を改良するにあたり、選択式に押圧するボタンを５０ｇ、３０ｇ、２０ｇというように配合量の数値を入力できるように改良してもよい。【００４２】
また、利用履歴情報データベース１２に格納される色見本情報を、自動車メーカの年度毎の自動車生産台数に関する情報と関連付けたり、或いは、新色であることを表す新色情報と関連付けてもよい。このような関連付けを行うことにより、将来において塗装業者等の利用者が頻繁に使用するであろう色見本を予測することができ、この予測を反映して色見本を選択することにより、より使い勝手のよい色見本帳を作成することができる。
【図１】
2006090771.tif 000002
【図２】
2006090771.tif 000003
【図３】
2006090771.tif 000004
【図４】
2006090771.tif 000005
【図５】
2006090771.tif 000006
【図６】
2006090771.tif 000007
【図７】
2006090771.tif 000008
【図８】
2006090771.tif 000009
【国際調査報告】
2006090771.tif 000010
2006090771.tif 000011
2006090771.tif 000012
2006090771.tif 000013